(57)【要約】【課題】照射される鑑賞物の照度均一化を図りつつ外部へ漏洩する光の量を抑制することが可能な照明展示装置を提供する。【解決手段】照度均一化のために鏡面反射特性を利用することから、筐体４によってユーザが見えないようにすることが困難な外部漏洩光Ｗが発生する。かかる外部漏洩光Ｗの発生は、ユーザにとっては鑑賞中に非常にまぶしい状態になり、好ましくない。かかる外部漏洩の対策として、ＬＥＤ２に所定のビーム特性を持たせ、鏡面反射光を減少させている。さらなる対策として、ＬＥＤ２に所定のビーム特性を持たせると共に反射板３を傾斜させ、鏡面反射特性による照度改善を図っている。【選択図】図８
2013154040.tif 000002
【特許請求の範囲】
【請求項１】
鑑賞物を収容し、収容状態の当該鑑賞物の前面が装置外部から見える窓部を有する筐体と、
前記筐体の内部に位置し、当該筐体に収容された前記鑑賞物の前記前面に側方から光を照射する照射部と、
前記鑑賞物の前記前面を覆うように配設され、当該鑑賞物に照射された前記照射部の光を透過する面を有する板状部材と、
を備え、
前記板状部材の前記面は、前記照射部から前記鑑賞物の方向以外の方向に向かう当該照射部の光が当該鑑賞物の方向に向かうように反射し、かつ、当該照射部に近い近傍位置よりも当該照射部から遠い遠隔位置のほうが当該鑑賞物に近接し、
前記照射部は、当該照射部から発せられて前記鑑賞物に照射されることなく装置外部に漏洩する光の量が抑制される配光特性を有することを特徴とする照明展示装置。
【請求項２】
前記照射部は、光源と当該光源の光を屈折させる横断面略円形のロッドレンズとを含むことを特徴とする請求項１に記載の照明展示装置。
【請求項３】
前記照射部は、前記光源と前記ロッドレンズとの間に位置し、当該ロッドレンズの長さ方向に沿って波状に形成される入射面および／または出射面を有する波形レンズをさらに含むことを特徴とする請求項２に記載の照明展示装置。
【請求項４】
前記照射部は、前記ロッドレンズと前記波形レンズとの間に位置し、当該ロッドレンズに入射する前記光源の光のエッジを遮光する遮光板をさらに含むことを特徴とする請求項３に記載の照明展示装置。
【請求項５】
前記板状部材は、平板状で傾斜して折れ曲がって折り目部を持つ形状に形成され、
前記照明展示装置は、前記板状部材を覆うように配設され、当該板状部材の前記折り目部の存在感を弱める反射防止処理を施した前面板をさらに備えることを特徴とする請求項１ないし４のいずれか１項に記載の照明展示装置。
【請求項６】
前記筐体の前記窓部は、矩形以外の形状であると共に当該窓部の縁部が曲線で形成された形状であり、
前記照射部が、前記筐体に収容された前記鑑賞物の周囲に沿って配設されることを特徴とする請求項１ないし５のいずれか１項に記載の照明展示装置。
【請求項７】
前記筐体は、前記窓部を有する第１の筐体部と、前記照射部が取り付けられる第２の筐体部と、前記鑑賞物を保持する第３の筐体部と、を含んで構成されることを特徴とする請求項１ないし６のいずれか１項に記載の照明展示装置。
【発明の詳細な説明】
【技術分野】
【０００１】
本発明は、対象物を照らして展示する照明展示装置に関するものである。
【背景技術】
【０００２】
鑑賞物を額縁等に入れて飾る際に、鑑賞物に照明を当てることで趣深い鑑賞をすることが可能になる。その場合に、額縁等から離れた位置に照明器具を設置して外部から鑑賞物に照明を当てるやり方のほかに、額縁等の内部に照明部を配置して鑑賞物に照明を当てるやり方もある。後者の場合には、鑑賞物の全面に照明を当てる必要があることから、従来から種々の構成が提案されている（例えば、特許文献１参照）。
【０００３】
この特許文献１には、厚肉方形状の枠本体を有し、枠本体の内部に前方から前枠板と、中間枠と、観賞物を備える基板とが順に敷設固定され、中間枠は、中央に開口を有した厚肉方形状の枠体であり、この枠体の一つの内面に発光部を備えると共に、他の三つの内面には反射膜を備え、前枠板と中間枠及び基板とで囲まれた発光空間が形成され、発光部から射出された光を発光空間で均一化して観賞物に照射するという構成が開示されている。
【先行技術文献】
【特許文献】
【０００４】
【特許文献１】特開２００８−１１９０５５号公報
【発明の概要】
【発明が解決しようとする課題】
【０００５】
ここで、鑑賞物の照度を均一化することは、鑑賞物を鑑賞する際に重要な条件であるものの、他の重要な条件も想定される。すなわち、鑑賞者は、鑑賞物を照らす光を視覚的に認識するが、鑑賞物を照らす光が漏洩して鑑賞者の目に直接入ってしまう場合には、鑑賞者はその眩しさに不快感を覚え、鑑賞に集中できなくなってしまうおそれがある。
【０００６】
本発明は、照射される鑑賞物の照度均一化を図りつつ外部へ漏洩する光の量を抑制することが可能な照明展示装置を提供することを目的とする。
【課題を解決するための手段】
【０００７】
かかる目的のもと、本発明が適用される照明展示装置は、鑑賞物を収容し、収容状態の当該鑑賞物の前面が装置外部から見える窓部を有する筐体と、前記筐体の内部に位置し、当該筐体に収容された前記鑑賞物の前記前面に側方から光を照射する照射部と、前記鑑賞物の前記前面を覆うように配設され、当該鑑賞物に照射された前記照射部の光を透過する面を有する板状部材と、を備え、前記板状部材の前記面は、前記照射部から前記鑑賞物の方向以外の方向に向かう当該照射部の光が当該鑑賞物の方向に向かうように反射し、かつ、当該照射部に近い近傍位置よりも当該照射部から遠い遠隔位置のほうが当該鑑賞物に近接し、前記照射部は、当該照射部から発せられて前記鑑賞物に照射されることなく装置外部に漏洩する光の量が抑制される配光特性を有することを特徴とするものである。
【０００８】
ここで、前記照射部は、光源と当該光源の光を屈折させる横断面略円形のロッドレンズとを含むことを特徴とすることができる。また、前記照射部は、前記光源と前記ロッドレンズとの間に位置し、当該ロッドレンズの長さ方向に沿って波状に形成される入射面および／または出射面を有する波形レンズをさらに含むことを特徴とすることができる。さらに、前記照射部は、前記ロッドレンズと前記波形レンズとの間に位置し、当該ロッドレンズに入射する前記光源の光のエッジを遮光する遮光板をさらに含むことを特徴とすることができる。
さらにまた、前記板状部材は、平板状で傾斜して折れ曲がって折り目部を持つ形状に形成され、前記照明展示装置は、前記板状部材を覆うように配設され、当該板状部材の前記折り目部の存在感を弱める反射防止処理を施した前面板をさらに備えることを特徴とすることができる。
またさらに、前記筐体の前記窓部は、矩形以外の形状であると共に当該窓部の縁部が曲線で形成された形状であり、前記照射部が、前記筐体に収容された前記鑑賞物の周囲に沿って配設されることを特徴とすることができる。
さらには、前記筐体は、前記窓部を有する第１の筐体部と、前記照射部が取り付けられる第２の筐体部と、前記鑑賞物を保持する第３の筐体部と、を含んで構成されることを特徴とすることができる。
【発明の効果】
【０００９】
本発明によれば、照射される鑑賞物の照度均一化を図りつつ外部へ漏洩する光の量を抑制することが可能になる。
【図面の簡単な説明】
【００１０】
【図１】本実施の形態に係る照明展示装置の要部を説明する図である。
【図２】本実施の形態に係る照明展示装置の要部を説明する図である。
【図３】本実施の形態に係る照明展示装置の概略正面図である。
【図４】照明展示装置のＬＥＤモジュールの横断面図である。
【図５】ＬＥＤモジュールのロッドレンズの作用を説明する図である。
【図６】ＬＥＤモジュールの波形レンズの作用を説明する図である。
【図７】ＬＥＤモジュールから出射される光ビームについて説明する図である。
【図８】ＬＥＤの光と筐体との相互の位置関係を説明する図である。
【図９】ＬＥＤのビーム特性を持たせた場合の照度を説明する図である。
【図１０】照明展示装置の筐体の構造を説明する図である。
【図１１】照明部の変形例を説明する図である。
【図１２】各種の変形例を説明する図である。
【図１３】各種の変形例を説明する図である。
【発明を実施するための形態】
【００１１】
以下、添付図面を参照して、本発明の実施の形態について詳細に説明する。
まず、本実施の形態に係る照明展示装置１が利用する照度均一化の原理について説明することとする。この照明展示装置１は、外から見えるように収容する対象物を視覚的効果がより高まるように内部光源の光で照らして展示する装置であり、壁面に設置されたり床面に設置されたりするものである。
【００１２】
ここにいう対象物としては、展示された状態を見て楽しむ鑑賞物であり、例えば、生花を専用液で処理して状態保持されたプリザーブドフラワー(preserved flower)を挙げることができる。また、対象物として、例えば、絵画等の美術品やジュエリー等の装飾品、ぬいぐるみを挙げることができる。
また、ここにいう内部光源は、照明展示装置１が内蔵してディスプレイ照明を行うものであり、例えば、紫外線の少ない光の発光が可能なＬＥＤ(Light Emitting Diode)や有機ＥＬなどを挙げることができる。
照明展示装置１を利用することで、鑑賞物が浮き出るように見える光による演出を楽しむことができる。
【００１３】
図１は、本実施の形態に係る照明展示装置１の要部を説明する図であり、（ａ）および（ｂ）は本実施の形態のものであり、（ｃ）は従来例のものである。すなわち、同図の（ａ）は、一構成例を示す概略図および照度（縦軸の単位はルクス）と離間距離（横軸の単位はｍ）との相互の関係を示すグラフである。同図の（ｂ）は、照明展示装置１が備える反射板３の反射率Ｒ（縦軸の単位は％）と入射角θ（横軸の単位は度）との間の相互関係を示すグラフである。同図の（ｃ）は、反射板３を備えていない比較例の図であり、同図の（ａ）に対応するものである。
図１の（ａ）に示すように、照明展示装置１は、対象物である被照射体Ｂを明るく照らすための内部光源ないし内部照明の一例としてのＬＥＤ(Light Emitting Diode)２と、ＬＥＤ２からの光を反射する透明な反射板３と、を備えている。
ＬＥＤ２は光源の一例であり、被照射体Ｂは鑑賞物の一例である。また、反射板３は板状部材の一例であり、反射板３の内面３ａは、板状部材の面の一例である。
【００１４】
ＬＥＤ２は、被照射体Ｂと反射板３との間に位置し、かつ、被照射体Ｂと反射板３との間の空間を光が進むように配置されている。本実施の形態では、ＬＥＤ２として、白色光を発するものを用いる。この場合のＬＥＤ２の光の色温度としては、例えば８８００〜５６００°Ｋであり、より具体的には、７２００°Ｋである。
反射板３は、被照射体Ｂを覆うように配設されている。本実施の形態では、反射板３として、製造の容易等のために樹脂製のものを採用するが、ガラス製のものを採用することも考えられる。
【００１５】
ＬＥＤ２の光は、ＬＥＤ２から被照射体Ｂに直接照射し、また、反射板３の内面３ａで反射して被照射体Ｂに照射する。
ここで、図１の（ａ）に示すように、本実施の形態では、ＬＥＤ２から遠ざかれば遠ざかるほど入射角θが大きくなるように設計されている。そして、反射板３は鏡面反射特性を有し、より具体的には、図１の（ｂ）に示すように、平面に直角に入射する場合（入射角θが０の場合）には反射板３の反射率Ｒは約４％程度であるが、入射角θが大きくなればなるほど、反射板３の反射率Ｒは高くなっていく（図１の（ｂ）に破線で示す円付近を参照）。このため、ＬＥＤ２に近い位置では反射率Ｒが低く、ＬＥＤ２から遠い位置では反射率Ｒが高い。すなわち、反射板３の内面３ａに入射した光が反射して被照射体Ｂに向かう割合は、ＬＥＤ２に近い位置では低く、ＬＥＤ２から遠い位置では高い。言い換えると、ＬＥＤ２から遠い位置では、反射板３を透過して反射板３の外面３ｂから外に漏れる光の量は極めて少ない。
【００１６】
さらに説明すると、被照射体Ｂに直接照射する光や反射板３の内面３ａに入射する光の照度は、ＬＥＤ２からの距離の二乗に反比例する。すなわち、ＬＥＤ２に近い位置にある被照射体Ｂの近傍部分ＢｎとＬＥＤ２から遠い位置にある被照射体Ｂの遠隔部分Ｂｆとの間の照度に大きな差が生じてしまう。しかしながら、ＬＥＤ２から遠い位置では、光量が少なくなるものの、上述したように反射板３の反射率Ｒは高くなることから、ＬＥＤ２の光が反射板３の内面３ａでほとんど反射して被照射体Ｂを照射する。
【００１７】
このように、本実施の形態では、被照射体Ｂの近傍部分Ｂｎと被照射体Ｂの遠隔部分Ｂｆとの間の照度の差を、鏡面反射特性を有する反射板３でＬＥＤ２の光を反射して被照射体Ｂに照射する構成を採用することによって改善している。なお、照度とは、単位面積当たりの光束で表されるものをいう。
被照射体Ｂの近傍部分Ｂｎは、近傍位置の一例であり、また、被照射体Ｂの遠隔部分Ｂｆは、遠隔位置の一例である。
【００１８】
より具体的に説明すると、図１の（ｃ）に示す比較例では、反射板３がなく、そのため、ＬＥＤ２から遠ざかるに従って被照射体Ｂの照度が大幅に低下し、ＬＥＤ２の光で被照射体Ｂを明るく照らすことが困難になり、暗くなってしまう。
その一方で、本実施の形態では、図１の（ａ）に示すように、反射板３の反射光を利用することから、ＬＥＤ２からの離間距離に応じて低下する被照射体Ｂの照度を補うことが可能になり、照度の均一化を図ることが可能になる。
付言すると、被照射体Ｂの奥側には、ＬＥＤ２の光が十分に届かず、したがって、被照射体Ｂの奥側は照らされないことから、ＬＥＤ２の光により明るく照らされる被照射体Ｂの手前側が視覚的により強調される。
【００１９】
図２は、本実施の形態に係る照明展示装置１の要部を説明する図であり、（ａ）および（ｂ）は本実施の形態のものであり、（ｃ）は従来例のものである。同図の（ａ）〜（ｃ）の各々は、一構成例を示す概略図および照度と離間距離との間の相互関係を示すグラフであり、図１の（ａ）に対応するものである。
なお、図２の（ａ）および同図の（ｂ）は、互いに異なる構成を採用する場合を示している。図２の（ａ）に示す構成例または同図の（ｂ）に示す構成例を図１の（ａ）に示す構成例の代わりに採用することが考えられる。すなわち、図２の（ａ）に示す構成例および同図の（ｂ）に示す構成例は、照度の均一化について図１の（ａ）の場合よりもさらに改善を図るものである。
【００２０】
図２の（ａ）に示す構成例では、ＬＥＤ２を互いに対向するように配置する。すなわち、一方のＬＥＤ２は他方のＬＥＤ２の方向に向けて発光すると共に、他方のＬＥＤ２は一方のＬＥＤ２の方向に向けて発光する。
かかる構成により、一方のＬＥＤ２による照度（実線で図示）と他方のＬＥＤ２による照度（破線で図示）とを合成した合成照度（二点鎖線で図示）から明らかなように、被照射体Ｂの中央部分Ｂｃ（遠隔部分Ｂｆ（図１参照））の照度を確保することが可能である。
【００２１】
図２の（ｂ）に示す構成例では、同図の（ａ）に示す構成例と同じくＬＥＤ２を互いに対向するように配置した上で、さらに、被照射体Ｂの中央部分Ｂｃの位置にて、くの字状に折り曲げられた反射板３を配置する。すなわち、反射板３は、ＬＥＤ２から遠ざかるに従って被照射体Ｂに近接する方向に一定の傾斜角αをもって傾斜している。被照射体Ｂの表面が平らな場合には、被照射体Ｂの中央部分Ｂｃの位置にて反射板３が被照射体Ｂに最も近接することになる。
かかる構成により、ＬＥＤ２の光が反射板３の内面３ａに入射する入射角θ（図１の（ｂ）参照）は小さくなるものの、反射板３の内面３ａに入射する光の量が増加する。このため、図２の（ｂ）に示す合成照度（二点鎖線で図示）から明らかなように、図２の（ａ）に示す場合よりも、被照射体Ｂの中央部分Ｂｃの照度を確保することが可能である。
【００２２】
なお、図２の（ｃ）に示す比較例では、反射板３がないために、ＬＥＤ２を互いに対向するように配置しても、合成照度（二点鎖線で図示）から明らかなように、被照射体Ｂの中央部分Ｂｃの照度を確保することが困難である。
【００２３】
次に、本実施の形態に係る照明展示装置１のより具体的な構成について説明する。なお、照明展示装置１の説明に用いる図面は、その一例としての構成例を示すものである。
図３は、本実施の形態に係る照明展示装置１の概略正面図であり、その一例を示すものである。
図３に示すように、照明展示装置１は、筐体４と、筐体４に内蔵されて複数のＬＥＤ２を有するＬＥＤモジュール５と、を備えている。ＬＥＤモジュール５の数は、筐体４のサイズにより１〜４個とすることが考えられる。
より具体的には、本実施の形態では、４つのＬＥＤモジュール５が被照射体Ｂ（図１または図２参照）の四方を囲むように配設されている。そして、４つのＬＥＤモジュール５の各々は、被照射体Ｂに向けて光を照射する。ＬＥＤモジュール５は照射部の一例である。
【００２４】
また、照明展示装置１は、ＬＥＤモジュール５に電力を供給する電源部６と、調光等の各種の制御を行う制御回路ないし制御部（不図示）と、を備えている。電源部６は、ＡＣ１００Ｖを例えば２４Ｖに変換し、例えば７０ｍＡを供給する。電源部６からの電力は、隣り合うＬＥＤモジュール５を互いに接続するコネクタ（不図示）を介して順次供給される。付言すると、図３に示す結線内容はその一例にすぎず、他の結線内容を採用することも考えられる。また、本実施の形態では、電源部６や制御部（不図示）を照明展示装置１の外部に配設する構成を採用するが、これらを照明展示装置１に内蔵する構成を採用することも考えられる。
なお、本実施の形態では、有線による給電を行う構成を採用するが、無接点による給電を行う構成を採用することも考えられる。また、照明展示装置１の内部に電気を一時的に蓄えられる電池を備える構成例も考えられる。
【００２５】
照明展示装置１の窓部Ｋの大きさとしては、被照射体Ｂの大きさに対応して設計されるものであり、例えば規格サイズとすることが考えられる。より具体的には、窓部Ｋの大きさを、Ａ１サイズ（８４１ｍｍ×５９４ｍｍ）やＡ２サイズ（５９４ｍｍ×４２０ｍｍ）、Ａ３サイズ（４２０ｍｍ×２９７ｍｍ）、Ａ４サイズ（２９７ｍｍ×２１０ｍｍ）、Ａ５サイズ（２１０ｍｍ×１４８ｍｍ）等とするものである。
【００２６】
そして、窓部Ｋの大きさがＡ１サイズの場合には、長辺に配置されるＬＥＤモジュール５には、例えば１０８個のＬＥＤ２が配設され、短辺に配置されるＬＥＤモジュール５には、例えば７７個のＬＥＤ２が配設される。合計で３７０個のＬＥＤ２を用い、この場合のＬＥＤ２の消費電力は、ＬＥＤ電流が５ｍＡの場合に５．６Ｗである。また、窓部Ｋの大きさがＡ５サイズの場合には、長辺に配置されるＬＥＤモジュール５には、例えば２４個のＬＥＤ２が配設され、短辺に配置されるＬＥＤモジュール５には、例えば１８個のＬＥＤ２が配設される。合計で８４個のＬＥＤ２を用い、この場合のＬＥＤ２の消費電力は、ＬＥＤ電流が５ｍＡの場合に１．３Ｗである。このように、ＬＥＤ２の消費電力は極めて低く、また、ＬＥＤ２による照明展示装置１内部の温度上昇を抑制することが可能である。なお、ＬＥＤ２の光は、一般的な蛍光灯の光よりも紫外線の量が低く、そのために、被照射体Ｂの退色を抑えることが可能である。
【００２７】
図４は、照明展示装置１のＬＥＤモジュール５の横断面図であり、その一例を示すものである。
図４に示すように、ＬＥＤモジュール５は、ＬＥＤ２を保持するモジュール本体５１，５２と、モジュール本体５１，５２により保持される板状の波形レンズ７と、モジュール本体５１，５２により保持される円柱状のロッドレンズ（丸棒レンズ）８と、を備えている。なお、ＬＥＤモジュール５は、筐体４（図３参照）に取り付けられる。
これら波形レンズ７およびロッドレンズ８は共に、ＬＥＤ２の発光側に位置し、ＬＥＤ２の光を屈折させる。波形レンズ７は、ＬＥＤ２とロッドレンズ８との間に位置する。波形レンズ７は、ロッドレンズ８と離間している。なお、ＬＥＤ２は、リードタイプと面実装タイプとがある。
【００２８】
図５は、ＬＥＤモジュール５のロッドレンズ８の作用を説明する図である。図５の（ａ）および（ｂ）は、ＬＥＤモジュール５のロッドレンズ８の横断面図である。図５の（ｃ）は、比較例としてのシリンダーレンズ１０１の横断面図である。なお、図５の（ａ）および（ｂ）では、波形レンズ７の図示を省略している。
図５の（ａ）および（ｃ）に示すように、横断形状が半円形のシリンダーレンズ１０１（同図の（ｃ）参照）ではなく、横断形状が略円形のロッドレンズ８（同図の（ａ）参照）を採用することで、光源（ＬＥＤ２）とレンズ（ロッドレンズ８）との間がより近くなる。このため、ロッドレンズ８の場合の方が、レンズ表面の散乱範囲Ｄが狭くなり、外部漏洩光（図８の（ａ）に図示の符号Ｗを参照）が外部から見える範囲Ａも狭くなる。さらには、ロッドレンズ８の場合の方が、ＬＥＤモジュール５の小型化に寄与する。
このように、本実施の形態でロッドレンズ８を採用することにより、外部への光の漏洩を改善することが可能になる。
【００２９】
かかる漏洩光の改善をさらに図ることが可能である。すなわち、図５の（ｂ）に示すように、筐体４のロッドレンズ８近傍に遮光板９１、９１’を配設する構成を採用すると、さらに漏洩光が外部から見える範囲Ａを狭くすることが可能になる。
【００３０】
図６は、ＬＥＤモジュール５の波形レンズ７の作用を説明する図である。図６の（ａ）は、ＬＥＤ２、波形レンズ７およびロッドレンズ８の平面図、（ｂ）はその正面図、（ｃ）はその右側面図（ロッドレンズ８側から見た図）である。また、図６の（ｄ）は、波形レンズ７を備えていない比較例の場合の右側面図であり、同図の（ｃ）に対応するものである。
図６の（ａ）に示すように、波形レンズ７は、ＬＥＤ２からの光が入射する入射側の面（同図の（ａ）における左側の面）とＬＥＤ２からの光が出射する出射側の面（同図の（ａ）における右側の面）とが互いに異なる形状になるように形成されている。より具体的には、波形レンズ７の入射側の面は、ロッドレンズ８ないし波形レンズ７の長さ方向（同図の（ａ）における上下方向）に沿って平面視で波状に形成されている。また、波形レンズ７の出射側の面は、平たんに形成されている。付言すると、波形レンズ７の入射側の面を波状に形成することが好ましいが、波形レンズ７の入射側の面ではなく、出射側の面を波状に形成することも考えられる。さらには、波形レンズ７の入射側の面および出射側の面を波状に形成することも考えられる。この場合の入射側の面の波の形状と出射側の面の波の形状との相対的な位置関係については、例えば位相差がないように波の形状を形成する場合のほか、位相差があるように波の形状を形成することも考えられる。また、図示を省略するが、ＬＥＤ２、ロッドレンズ８および波形レンズ７の順で配列させる構成例、すなわち、ＬＥＤ２と波形レンズ７との間にロッドレンズ８を配設させる構成例も考えられる。
なお、図６の（ｂ）は、図４に対応するものであり、その説明を省略する。
【００３１】
ロッドレンズ８側から波形レンズ７を見ると、図６の（ｃ）に示すように、明るく光る部分（同図の（ｃ）に示す斜線領域を参照）の数が、ＬＥＤ２の数よりも多くなっている。具体的には、ＬＥＤ２が３個であるのに対し、波形レンズ７により明るく光る部分は７個である。
さらに説明すると、波形レンズ７を備えていない比較例の場合には、図６の（ｄ）に示すように、３つのＬＥＤ２の光が直接見え（同図の（ｄ）に示す斜線領域を参照）、ＬＥＤ２の粒子感が目立ってしまう。
【００３２】
このような波形レンズ７により、ＬＥＤ２からの光は、波形レンズ７の長さ方向に拡大され、ＬＥＤ２の粒子感を防止すると共にサイズを選定することにより光ビームを横広型に変化させることが可能になる。
言い換えると、波形レンズ７によって、ＬＥＤ２を外部から認識困難な状態にすることが可能であり（照射感改善）、かつ、平面方向（水平方向）のビーム角度を拡大させて照度均一性を得ることが可能になる。付言すると、かかる照射感改善により、ＬＥＤ２の光が仮に外部に漏洩した場合であっても製品品質を保持することが可能になる。
【００３３】
図７は、ＬＥＤモジュール５から出射される光ビームについて説明する図である。
図７に示すように、ＬＥＤモジュール５において、波形レンズ７とロッドレンズ８との間には、遮光板９２，９３が配設されている。遮光板９２は、上部エッジカット用であり、光ビームの上部フリンジの切れの向上に寄与するものである。また、遮光板９３は、下部エッジカット用であり、波形レンズ７の波模様が外部へ漏洩することを改善するものである。
そして、ＬＥＤ２による照度は、鏡面反射に使用する部分Ｐ１でより高く、近傍照射に使用する部分Ｐ２でより低くなる。このため、鏡面反射効果を向上させることが可能である。
【００３４】
図８は、ＬＥＤ２の光と筐体４との相互の位置関係を説明する図である。図８の（ａ）は、照明展示装置１の要部を示す図であり、（ｂ）および（ｃ）は、ＬＥＤ２の光の外部漏洩対策を施した構成の図である。
本実施の形態では、照度均一化のために鏡面反射特性を利用することから、図８の（ａ）に示すように、筐体４によって鑑賞者に見えないようにすることが困難な外部漏洩光Ｗが発生する。かかる外部漏洩光Ｗの発生は、鑑賞者にとっては鑑賞中に非常にまぶしい状態になり、好ましくない。
【００３５】
かかる外部漏洩の対策として例えば、同図の（ｂ）に示すように、ＬＥＤ２にビーム特性を持たせ、外部漏洩光を減少させている。さらなる対策として例えば、同図の（ｃ）に示すように、ＬＥＤ２に所定のビーム特性を持たせると共に反射板３を傾斜させている。
このように、ＬＥＤ２に所定のビーム特性を持たせることで、照度均一化を図ることが可能になるものの、さらに反射板３を傾斜させることで、鏡面反射特性による照度改善をより図ることが可能になる。
【００３６】
ここで、ＬＥＤ２に所定のビーム特性（指向特性、配光特性）を持たせた場合（図８の（ｂ）および（ｃ）参照）の照度について説明する。
図９は、ＬＥＤ２のビーム特性を持たせた場合の照度を説明する図であり、（ａ）および（ｃ）は、ＬＥＤ２のビーム角度（照度半値角）が約５度の場合であり、（ｂ）および（ｄ）は、ＬＥＤ２のビーム角度（照度半値角）が１５度の場合である。同図の（ａ）および（ｂ）は、照度（縦軸の単位はルクス）と離間距離（横軸の単位はｍ）との相互の関係を示すグラフを含み、同図の（ｃ）および（ｄ）は、被照射体Ｂにおける平面位置と照度（縦軸の単位はルクス）との関係を示すグラフであり、Ａ４版の大きさで測定した測定結果を示している。なお、（ａ）および（ｂ）でのＬＥＤ２の光の図示は、被照射体Ｂ側（同図の下側）のみとし、その反対側（同図の上側）の図示を省略しており、被照射体Ｂ側と反対側とでは互いに同じ配光分布である。
ＬＥＤ２を側面に配置するフロントライティングでは、ＬＥＤ２に近い位置にある被照射体Ｂの近傍部分Ｂｎが明るく、ＬＥＤ２から遠い位置にある被照射体Ｂの遠隔部分Ｂｆが暗くなる。このため、本実施の形態では、ＬＥＤ２にビーム特性を持たせ、ＬＥＤ２からの距離に依存しない略均一な照度を得ている。
【００３７】
より具体的には、図９の（ｂ）および（ｄ）に示すように、ＬＥＤ２のビーム角度（照度半値角）が１５度の場合には、近傍部分Ｂｎではとても明るい一方で遠隔部分Ｂｆではとても暗く、その照度が極めて不均一である。これに対し、図９の（ａ）および（ｃ）に示すように、ＬＥＤ２のビーム角度（照度半値角）が約５度の場合には、近傍部分Ｂｎと遠隔部分Ｂｆとで照度が均一なものとなっている。付言すると、遠隔部分Ｂｆにおける照度は、ＬＥＤ２のビーム角度が１５度の場合には１６０ルクス程度であるのに対し、ＬＥＤ２のビーム角度が約５度の場合では、およそ１８０ルクスである。
なお、指向特性とは、ＬＥＤ２上の軸上光度を１００％としたときに、光源に対してθ傾いた方向から見える光度の割合を示すものをいい、光度の割合が５０％となる角度を半値角（１／２θ）と呼ぶ。
【００３８】
図１０は、照明展示装置１の筐体４の構造を説明する図である。
図１０に示すように、筐体４は、複数の部材を組み合わせて構成されている。すなわち、筐体４は、略中央部に窓部Ｋが形成され、照明展示装置１の前面に位置する前面パネル部４１と、ＬＥＤモジュール５（例えば図３や図４を参照）が取り付けられる照明部（照明モジュール）４２と、被照射体Ｂ（例えば図１参照）を収容するための収容部（展示ボックス）４３と、を備えている。そして、これら前面パネル部４１、照明部４２および収容部４３を組み立てることで、筐体４が完成する。筐体４が完成された状態では、収容部４３に収容された被照射体Ｂを鑑賞者が直接触ることができないようになる。より詳細には、構成部材同士は、シーリングされており、このため、収容部４３に収容された被照射体Ｂは、筐体４により紫外線やほこりなどから保護される。
このように、筐体４は、図１０に示すように、３ピース構造を採用する。なお、反射板３（例えば図１参照）は照明部４２に配設するが、前面パネル部４１に配設する構成例も考えられる。
前面パネル部４１は、第１の筐体部の一例であり、また、照明部４２は、第２の筐体部の一例であり、また、収容部４３は、第３の筐体部の一例である。
【００３９】
さらに説明すると、前面パネル部４１として、外形が互いに異なる前面パネル部４１ａ，４１ｂのいずれかを選択することが可能である。また、収容部４３として、外形が互いに異なる収容部４３ａ，４３ｂのいずれかを選択することが可能である。
このように、ユーザないし鑑賞者のニーズに対応する多種多様なバリエーションを予め準備しておくことで自由な組み合わせの構成とすることができる。したがって、照明展示装置１を設置する場所や、鑑賞物の種類、鑑賞者ないしユーザの好み等に対応する最適なものを提案することが可能になる。
なお、図１０に示す前面パネル部４１、照明部４２および収容部４３の選択肢は、その一例に過ぎず、より多くの選択肢を設定することが考えられる。
【００４０】
次に、本実施の形態に係る各種の変形例について説明する。
まず、筐体４の照明部４２（図１０参照）についての各種の変形例を説明する。図１１は、照明部４２の変形例を説明する図であり、図１１の（ａ）はその一変形例を示す正面図および底面図であり、（ｂ）は他の変形例を示す正面図および底面図であり、（ｃ）はさらに他の変形例を示す正面図および底面図である。
図１１の（ａ）〜（ｃ）の各々に示す変形例では、照明部４２の形状が、左右または上下の一対のものではなく、円形または非分離型の形状である。このような一対でない形状で均一な内部照度を得ることが可能である。
より具体的には、照明部４２は、図１１の（ａ）では円形状であり、（ｂ）では楕円形状であり、（ｃ）ではハート形状である。このように、図１１の（ａ）〜（ｃ）の各々に示す変形例は、窓部Ｋの形状が矩形以外の形状で、かつ、縁部が曲線で形成された形状である。そして、照明部４２は、筐体４に収容されている被照射体Ｂの周囲に沿って配設されている。
なお、筐体４の照明部４２の形状により、前面パネル部４１の窓部Ｋの形状は特に制約されない。
【００４１】
図１２は、各種の変形例を説明する図である。同図の（ａ）は一変形例を示す概略図であり、（ｂ）は他の変形例を示す概略図であり、（ｃ）はさらに他の変形例を示す概略図である。
図１２の（ａ）に示す変形例では、平板状の反射板３が一様に傾斜するように配設されているが、同図の（ｂ）に示す変形例では、曲面状の反射板３を用い、被照射体Ｂの特定部分Ｂｘの鏡面反射照度を高くしている。すなわち、反射板３の曲面度によりＬＥＤ２の光の反射方向性が決まるので、反射せずに被照射体Ｂを直接照らす光とのバランスをとっている。
このように、照度均一化に樹脂の鏡面反射特性を使用する場合、直接光と反射光との合計の光量が適切な特性になるように反射板３の曲面を設定している。
【００４２】
ここで、図１２の（ｃ）に示す変形例では、反射板３の内面３ａに紫外線防止処理を施すと共に、反射板３よりも外側に位置する透明板９４の内面９４ａおよびロッドレンズ８にも同じく紫外線防止処理を施している。なお、かかる紫外線防止処理は従来から用いられている方法を利用することができる。透明板９４は、前面板の一例である。
より詳細に説明すると、被照射体Ｂの退色等の防止のために被照射体Ｂに紫外線が照射されないように配慮しなければならない場合がある。上述したように、内部光源として紫外線がほとんど含まれないＬＥＤ２を採用しているが、そのような場合には、さらに外部から紫外線が侵入しない構成も採用する。
このような外部からの紫外線進入防止のために、図１２の（ｃ）に示す変形例では、反射板３の内面３ａおよび透明板９４の内面９４ａに紫外線防止処理を施すことで外部からの光から紫外線を除去し、また、ロッドレンズ８の表面に紫外線防止処理を施すことで、ＬＥＤ２に紫外線が含まれる場合に対応可能としている。
【００４３】
また、図１２の（ｃ）に示す変形例では、反射板３の内面３ａおよび外面３ｂに反射防止処理を施すと共に透明板９４の内面９４ａおよび外面９４ｂにも反射防止処理を施している。なお、かかる反射防止処理は従来から用いられている方法を利用することができる。
より詳細に説明すると、図１２の（ｃ）に図示の反射板３は、くの字状に折り曲げられた折り目部３ｃが被照射体Ｂの中央部分Ｂｃに位置する。このような折り目部３ｃは、照度均一化のためのものに設けられるものであるものの、被照射体Ｂを鑑賞する際に目立ってしまい、好ましくない。そこで、反射板３の内面３ａおよび外面３ｂおよび透明板９４の内面９４ａおよび外面９４ｂに反射防止処理を施すことで、折り目部３ｃの存在感を弱める（薄める）ことが可能になる。付言すると、設計条件によっては、反射防止処理を施す面の数を削減する場合も考えられる。
【００４４】
図１３は、各種の変形例を説明する図である。
図１３に示す変形例は、筐体４の縁部を狭くする場合に用いられるものである。そして、照明展示装置１のＬＥＤモジュール５は、ロッドレンズ８により屈折された光を反射板３の方向に反射するミラー板９５を備えている。
なお、照明展示装置１の筐体４は、上述したように、前面パネル部４１、照明部４２および収容部４３で構成されている。
【００４５】
図示を省略するが、他の変形例も考えられる。例えば、上述したワイヤレス給電のほかに、鑑賞者が照明展示装置１の近傍にいることを検知する人感センサ（不図示）の検出結果を基に、ＬＥＤモジュール５のＬＥＤ２の発光のオン／オフ制御を行う変形例も考えられる。また、照明展示装置１の周囲の照度を検知する照度センサ（不図示）の検出結果を基に、ＬＥＤモジュール５のＬＥＤ２の発光量を制御する変形例も考えられる。
そのほか、照明展示装置１がスピーカとスピーカから出力する音のデータを記憶する記憶部とを内蔵し、所望の音がスピーカから流れるようにする変形例や、照明展示装置１に対する指示（例えば、ＬＥＤ２の発光のオン／オフや音出力のオン／オフ）をリモコンの操作で行う変形例などが考えられる。
なお、上述の変形例を適宜組み合わせて本実施の形態に適用する構成例も考えられる。
【００４６】
以上説明したように、本実施の形態に係る照明展示装置１は、反射板３の鏡面反射特性により照度の均一化を行っている。すなわち、側面にＬＥＤ２を配置するフロントライティングにおいては、光源に近いエリアが明るく、遠いエリアが暗くなるため、これを解決する為に、ＬＥＤ２にビーム特性をもたせ、ＬＥＤ２からの距離に依存しない均一な照度を得ている。
さらには、ＬＥＤ２から発せられて被照射体Ｂに照射されることなく外部に漏洩する外部漏洩光Ｗの量を抑制するための様々な構成を採用し、製品品質の確保を図っている。
【符号の説明】
【００４７】
１…照明展示装置、２…ＬＥＤ、３…反射板、３ａ，９４ａ…内面、３ｂ，９４ｂ…外面、３ｃ…折り目部、４…筐体、４１，４１ａ，４１ｂ…前面パネル部、４２…照明部、４３，４３ａ，４３ｂ…収容部、５…ＬＥＤモジュール、５１，５２…モジュール本体、６…電源部、７…波形レンズ、８…ロッドレンズ、９１，９１’，９２，９３…遮光板、９４…透明板、Ａ…外部から見える範囲、Ｂ…被照射体、Ｂｃ…中央部分、Ｂｎ…近傍部分、Ｂｆ…遠隔部分、Ｂｘ…特定部分、Ｄ…散乱範囲、Ｋ…窓部、Ｒ…反射率、Ｗ…外部漏洩光、α…傾斜角、θ…入射角
【図１】
2013154040.tif 000003
【図２】
2013154040.tif 000004
【図３】
2013154040.tif 000005
【図４】
2013154040.tif 000006
【図５】
2013154040.tif 000007
【図６】
2013154040.tif 000008
【図７】
2013154040.tif 000009
【図８】
2013154040.tif 000010
【図９】
2013154040.tif 000011
【図１０】
2013154040.tif 000012
【図１１】
2013154040.tif 000013
【図１２】
2013154040.tif 000014
【図１３】
2013154040.tif 000015
【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
鑑賞物を収容し、収容状態の当該鑑賞物の前面が装置外部から見える窓部を有する筐体と、
前記筐体の内部に位置し、当該筐体に収容された前記鑑賞物の前記前面に側方から光を照射する照射部と、
前記鑑賞物の前記前面を覆うように配設され、当該鑑賞物に照射された前記照射部の光を透過する面を有する板状部材と、
を備え、
前記板状部材の前記面は、前記照射部から前記鑑賞物の方向以外の方向に向かう当該照射部の光が当該鑑賞物の方向に向かうように反射し、かつ、当該照射部に近い近傍位置よりも当該照射部から遠い遠隔位置のほうが当該鑑賞物に近接し、
前記照射部は、当該照射部から発せられて前記鑑賞物に照射されることなく装置外部に漏洩する光の量が抑制される配光特性を有し、
前記照射部は、光源と、当該光源の光を屈折させる横断面略円形のロッドレンズと、当該光源と当該ロッドレンズとの間に位置し、当該ロッドレンズの長さ方向に沿って波状に形成される入射面および／または出射面を有する波形レンズと、を含むことを特徴とする照明展示装置。
【請求項２】
前記照射部は、前記ロッドレンズと前記波形レンズとの間に位置し、当該ロッドレンズに入射する前記光源の光のエッジを遮光する遮光板をさらに含むことを特徴とする請求項１に記載の照明展示装置。
【請求項３】
前記板状部材は、平板状で傾斜して折れ曲がって折り目部を持つ形状に形成され、
前記照明展示装置は、前記板状部材を覆うように配設され、当該板状部材の前記折り目部の存在感を弱める反射防止処理を施した前面板をさらに備えることを特徴とする請求項１または２に記載の照明展示装置。
【請求項４】
前記筐体の前記窓部は、矩形以外の形状であると共に当該窓部の縁部が曲線で形成された形状であり、
前記照射部が、前記筐体に収容された前記鑑賞物の周囲に沿って配設されることを特徴とする請求項１ないし３のいずれか１項に記載の照明展示装置。
【請求項５】
前記筐体は、前記窓部を有する第１の筐体部と、前記照射部が取り付けられる第２の筐体部と、前記鑑賞物を保持する第３の筐体部と、を含んで構成されることを特徴とする請求項１ないし４のいずれか１項に記載の照明展示装置。
【請求項６】
前記板状部材は、折れ曲がりない平板状で一様に傾斜して配設されることを特徴とする請求項１に記載の照明展示装置。
【請求項７】
前記照射部の前記光源は、前記装置外部に漏洩する光の量を減少するビーム特性を持つものであることを特徴とする請求項１に記載の照明展示装置。
【手続補正２】
【補正対象書類名】明細書
【補正対象項目名】０００７
【補正方法】変更
【補正の内容】
【０００７】
かかる目的のもと、本発明が適用される照明展示装置は、鑑賞物を収容し、収容状態の当該鑑賞物の前面が装置外部から見える窓部を有する筐体と、前記筐体の内部に位置し、当該筐体に収容された前記鑑賞物の前記前面に側方から光を照射する照射部と、前記鑑賞物の前記前面を覆うように配設され、当該鑑賞物に照射された前記照射部の光を透過する面を有する板状部材と、を備え、前記板状部材の前記面は、前記照射部から前記鑑賞物の方向以外の方向に向かう当該照射部の光が当該鑑賞物の方向に向かうように反射し、かつ、当該照射部に近い近傍位置よりも当該照射部から遠い遠隔位置のほうが当該鑑賞物に近接し、前記照射部は、当該照射部から発せられて前記鑑賞物に照射されることなく装置外部に漏洩する光の量が抑制される配光特性を有し、前記照射部は、光源と、当該光源の光を屈折させる横断面略円形のロッドレンズと、当該光源と当該ロッドレンズとの間に位置し、当該ロッドレンズの長さ方向に沿って波状に形成される入射面および／または出射面を有する波形レンズと、を含むことを特徴とするものである。
【手続補正３】
【補正対象書類名】明細書
【補正対象項目名】０００８
【補正方法】変更
【補正の内容】
【０００８】
ここで、前記照射部は、前記ロッドレンズと前記波形レンズとの間に位置し、当該ロッドレンズに入射する前記光源の光のエッジを遮光する遮光板をさらに含むことを特徴とすることができる。
さらにまた、前記板状部材は、平板状で傾斜して折れ曲がって折り目部を持つ形状に形成され、前記照明展示装置は、前記板状部材を覆うように配設され、当該板状部材の前記折り目部の存在感を弱める反射防止処理を施した前面板をさらに備えることを特徴とすることができる。
またさらに、前記筐体の前記窓部は、矩形以外の形状であると共に当該窓部の縁部が曲線で形成された形状であり、前記照射部が、前記筐体に収容された前記鑑賞物の周囲に沿って配設されることを特徴とすることができる。
さらには、前記筐体は、前記窓部を有する第１の筐体部と、前記照射部が取り付けられる第２の筐体部と、前記鑑賞物を保持する第３の筐体部と、を含んで構成されることを特徴とすることができる。
また、前記板状部材は、折れ曲がりない平板状で一様に傾斜して配設されることを特徴とすることができる。さらに、前記照射部の前記光源は、前記装置外部に漏洩する光の量を減少するビーム特性を持つものであることを特徴とすることができる。